(57)【特許請求の範囲】
【請求項１】
座および背もたれ、ならびに前記座の前部を支持するとともに前記背もたれの高さ方向中間部を支持する支持フレームを備え、前記支持フレームが、前記座に対して幅方向に離間した位置で前後方向に延びる前後向きフレーム部を有するものであって、
前記座が、四隅近傍からそれぞれ下方に延びる複数の脚を有し、前記座と前記前後向きフレーム部との間の隙間に、スタッキングさせる他の椅子の後脚を挿入可能に構成されていることを特徴とする椅子。
【請求項２】
座および背もたれ、ならびに前記座の前部を支持するとともに前記背もたれの高さ方向中間部を支持する支持フレームを備え、前記支持フレームが、前記座に対して幅方向に離間した位置で前後方向に延びる前後向きフレーム部を有するものであって、
前記座が、四隅近傍からそれぞれ下方に延びる複数の脚を有するとともに、前記前後向きフレーム部に対して前記座の幅方向に離間した位置で前後方向に延びる肘置き部を有し、前記前後向きフレーム部と前記肘置き部との間の隙間に、スタッキングさせる他の椅子の後脚を挿入可能に構成されていることを特徴とする椅子。
【請求項３】
前記支持フレームが、前記座の側縁および前記背もたれの側縁に沿って配置されている請求項１又は２記載の椅子。
【請求項４】
前記支持フレームは、前記座の下面および前記背もたれの後面にそれぞれ連結されている請求項１〜３の何れかに記載の椅子。
【請求項５】
前記前後向きフレーム部は、同一構造をなす他の椅子をスタッキングさせた際に、当該他の椅子の前後向きフレーム部と上下方向に離間するように構成されている請求項１〜４の何れかに記載の椅子。
【請求項６】
前記背もたれ及び前記座が、背座一体のシェルによって構成され、前記支持フレームを前記シェルのシェル本体から離して配置している請求項１〜５の何れかに記載の椅子。
【発明の詳細な説明】
【技術分野】
【０００１】
本発明は、座の幅方向又は背もたれの後方の少なくとも一方で支持フレームに指を掛けられる構成とすることで、引き寄せや持ち上げなどの移動を簡単に行える椅子に関するものである。
【背景技術】
【０００２】
従来より、オフィスのミーティングエリアやオープンスペースなどで使用される比較的簡単な構造の椅子として、特許文献１には、前脚および後脚を有する支持フレームと、この支持フレームに支持させた背もたれおよび座とを具備する椅子が開示されている。支持フレームは、前脚と後脚との間に特許文献１の図６に示すような座受けを設け、そこに座を載置して支持するとともに、パイプ材からなる後脚の上端部に、下方に開口する有底筒状の被取付部を差し込むことで、当該被取付部に接続された背もたれを支持する。
【先行技術文献】
【特許文献】
【０００３】
【特許文献１】特開２０１４−２２６３３０号公報
【発明の概要】
【発明が解決しようとする課題】
【０００４】
ところで、上記のような構造の椅子は、オフィスのミーティングエリアやオープンスペースなどでの設置や倉庫などでの保管の際、椅子の左右方向や後方向から椅子の一部を掴んで引き寄せたり、持ち運ぶなどの移動作業が頻繁に行われることが予想される。そして、このような移動作業を行う場合、通常、座や背もたれをその厚み方向に挟んで引っ張ることで椅子を引き寄せ、座や背もたれを下方から押し上げて椅子を持ち上げると考えられる。しかしながら、座や背を厚み方向に挟んだり、下方から押し上げるだけでは、椅子から手が滑りやすく、椅子を強く握りしめたり作業の途中で持ち直す必要が生じる場合があると考えられることから、特許文献１に開示の椅子は、移動作業を簡単に行えるようにするという観点からすれば改善の余地がある。
【０００５】
本発明は、上記のような課題を解消することを目的としており、具体的には、左右方向や後方への引き寄せや持ち運びなどの移動作業を簡単に行うことが可能な椅子を提供することを目的とする。
【課題を解決するための手段】
【０００６】
本発明は、かかる目的を達成するために、次のような手段を講じたものである。
【０００７】
すなわち、本発明の椅子は、座および背もたれ、ならびに前記座の前部を支持するとともに前記背もたれの高さ方向中間部を支持する支持フレームを備え、前記支持フレームが、前記座に対して幅方向に離間した位置で前後方向に延びる前後向きフレーム部を有するものであって、前記座が、四隅近傍からそれぞれ下方に延びる複数の脚を有し、前記座と前記前後向きフレーム部との間の隙間に、スタッキングさせる他の椅子の後脚を挿入可能に構成されていることを特徴とする。
このような構成であると、座と前後向きフレーム部との間の隙間、または、背もたれと左右向きフレーム部との間の隙間より指を入れて、これらのフレーム部に指を掛けたり当該フレーム部を掴むことができ、着座時に座の前部および背もたれの高さ方向中間部を適切に支持する支持フレームを持ち手として利用することができる。そのため、手が椅子から滑りにくくなり、左右方向や後方への引き寄せや持ち運びなどの移動作業を簡単に行うことができる。また、スタッキングの際、他の椅子の後脚が適切に収容可能となる。
【０００８】
また、本発明の椅子は、座および背もたれ、ならびに前記座の前部を支持するとともに前記背もたれの高さ方向中間部を支持する支持フレームを備え、前記支持フレームが、前記座に対して幅方向に離間した位置で前後方向に延びる前後向きフレーム部を有するものであって、前記座が、四隅近傍からそれぞれ下方に延びる複数の脚を有するとともに、前記前後向きフレーム部に対して前記座の幅方向に離間した位置で前後方向に延びる肘置き部を有し、前記前後向きフレーム部と前記肘置き部との間の隙間に、スタッキングさせる他の椅子の後脚を挿入可能に構成されていることを特徴とする。
このような構成であると、座と前後向きフレーム部との間の隙間、または、背もたれと左右向きフレーム部との間の隙間より指を入れて、これらのフレーム部に指を掛けたり当該フレーム部を掴むことができ、着座時に座の前部および背もたれの高さ方向中間部を適切に支持する支持フレームを持ち手として利用することができる。そのため、手が椅子から滑りにくくなり、左右方向や後方への引き寄せや持ち運びなどの移動作業を簡単に行うことができる。また、スタッキングの際、他の椅子の後脚が適切に収容可能となる。
【０００９】
この場合、シンプルかつスマートな外観にするためには、前記支持フレームが、前記座の側縁および前記背もたれの側縁に沿って配置された構成とすることが好ましい。
【００１０】
とりわけ、支持フレームが着座荷重を適切に支持可能な構成にするためには、前記支持フレームが、前記座の下面および前記背もたれの後面にそれぞれ連結された構成とすることが好ましい。
【００１１】
同一構造をなす他の椅子をスタッキングさせた状態でも、簡単に持ち上げるためには、前記前後向きフレーム部が、当該他の椅子の前後向きフレーム部と上下方向に離間するように構成されることが好ましい。
【００１４】
安価な構成でありながら、クッション性を発揮させ、座り心地を向上させるためには、前記背もたれ及び前記座が、背座一体のシェルによって構成され、前記支持フレームを前記シェルのシェル本体から離して配置する構成であることが好ましい。
【発明の効果】
【００１５】
本発明は、以上説明した構成であるから、前後向きフレーム部または左右向きフレーム部に指を掛けたり、当該フレーム部を掴むなどして、支持フレームを持ち手として利用することで、椅子から手を滑りにくくでき、移動作業を簡単に行うことが可能な椅子を提供することができる。
【図面の簡単な説明】
【００１６】
【図１】本発明の一実施形態に係る椅子を示す斜視図。
【図２】背もたれの上端部を切り欠いて示す同椅子の平断面図。
【図３】同椅子の底面図。
【図４】同椅子を後ろ斜め下方から見た斜視図。
【図５】同椅子をスタッキングさせた状態で示す斜視図。
【図６】同椅子の分解斜視図。
【図７】本発明の変形例を示す斜視図。
【図８】同変形例の底面図。
【図９】同変形例の椅子をスタッキングさせた状態で示す斜視図。
【発明を実施するための形態】
【００１７】
以下、本発明の一実施形態を、図面を参照して説明する。
【００１８】
図１に示すように、本実施形態の椅子１０は、着座荷重を受ける座１および背もたれ２、ならびに座１をその前部（この実施形態では前端部１ａ´）で支持するとともに背もたれ２をその高さ方向中間部（この実施形態では略中央部）で支持する支持フレーム３を備えたもので、特に支持フレーム３をパイプ部材で構成していることからパイプチェアとも言い得るものである。
【００１９】
図２に示すように、座１は、直線状をなす前縁１ａおよび側縁１ｄと、後方に湾曲する後縁１ｂとを有し、前端１ａから後端部１ｂ´にかけて幅寸法Ｗが徐々に小さく構成される。また、前端部１ａ´が下方に屈曲して前垂れ部１１（図１参照）を形成している。図３に示すように、このような座１の下面１ｃの前端部１ａ´には、支持フレーム３と連結するための左右一対の座側連結部１２Ａ，１２Ａが互いに離間して設けられ、座１の下面１ｃの前後方向略中央部には、支持フレーム３と接触する左右一対のフレーム接触部１３，１３が互いに離間して設けられる。
【００２０】
図４の左下の部分拡大図にて示すように、座側連結部１２Ａは、その長手方向が座１の前後方向と平行になるように設けられた薄板状のフレーム受け１２ａと、フレーム受け１２ａの近傍位置に設けられ、下方に向けて開口するねじ穴１２ｂ１を有するフレーム被連結部１２ｂとから構成される。このフレーム被連結部１２ｂには、支持フレーム３の後述する第１フレーム側連結部１２Ｂがねじ止めされる。フレーム被連結部１２ｂは、略円筒状の側面の一部がその高さ方向に沿って外方に広がった構成であり、下面に前記ねじ穴１２ｂ１が形成されている。フレーム受け１２ａの一部は、後述する前フレーム部３３の外形に合わせて下向きに略半円状に切り欠かれ、この切欠き１２ａ１よりも前方にフレーム被連結部１２ｂのねじ穴１２ｂ１が位置し、当該切欠き１２ａ１に前フレーム部３３を嵌め合わせて位置決めした状態で第１フレーム側連結部１２Ｂをフレーム被連結部１２ｂにねじ止めできるように構成されている。なお、同図に示す３つの部分拡大図では、いずれも、座１又は背もたれ２を構成する部材を実線で示し、支持フレーム３を構成する部材を二点鎖線で示す。
【００２１】
図４に示すフレーム接触部１３は、前記座側連結部１２Ａよりも座１の幅方向中央に寄った位置で、長手方向が座１の前後方向と平行になるように設けられたブロック状のものである。フレーム接触部１３は、中央フレーム部３５の外形に合わせて下向きに略半円状に切り欠かれ、背座が着座荷重を受けて撓んだ際にこの切欠き１３ａに中央フレーム部３５を嵌合可能であり、着座時には荷重をフレーム接触部１３から中央フレーム部３５を介し後述する前後向きフレーム部３４に伝えて、支持フレーム３が適切に着座荷重を支持する。
【００２２】
図４に示す背もたれ２は、正面視略矩形状で、側縁２ｂ、２ｂ間が平断面において後方に向けて滑らかに湾曲し、かつ、高さ方向中央部から上端部に亘る部位が後方に緩やかに湾曲した形状を有する。このような背もたれ２の後面２ａの高さ方向略中央部には、支持フレーム３と連結するための左右一対の背もたれ側連結部１４ａ，１４ａが互いに離間して設けられる。
【００２３】
図４の左上の部分拡大図にて示すように、背もたれ側連結部１４ａは、後方に向けて延びる略筒状のものである。背もたれ側連結部１４ａは、その後端面１４ａ１が後述する左右向きフレーム部３７の外形に合わせて湾曲した形状であるとともに、ねじ挿入孔１４ｂ１が下方に向けて開口する。背もたれ側連結部１４ａは、その後端面１４ａ１に左右向きフレーム部３７を嵌め合わせて位置決めし、後述する第２フレーム側連結部１４Ｂを内部に挿入して、ねじ挿入孔１４ｂ１を介して第２フレーム側連結部１４Ｂとねじ止めされる。
【００２４】
このような背もたれ２及び座１は、本実施形態では背座一体の樹脂製のシェルＡ（図１参照）によって構成されており、着座荷重によってある程度弾性変形可能なものである。なお、前記フレーム受け１２ａ、前記フレーム被連結部１２ｂ、前記フレーム接触部１３および前記背もたれ側連結部１４ａは、このようなシェルＡの主体となるシェル本体Ａ´（図１参照）に樹脂一体成形されている。また、前記フレーム被連結部１２ｂは、ねじ穴１２ｂ１が金属製のナットによってインサート成形されて構成されてもよい。
【００２５】
図４および図６に示すように、シェルＡ（図１参照）を支持する支持フレーム３は、左右一対の前脚３１，３１と、左右一対の後脚３２，３２と、左右一対の前脚３１，３１間を接続する前フレーム部３３と、前脚３１および後脚３２間を接続する左右一対の前後向きフレーム部３４，３４と、左右一対の前後向きフレーム部３４，３４をその前後方向略中央部で接続する補強パイプとしての中央フレーム部３５と、前後向きフレーム部３４，３４の後端３４ａ，３４ａから上方にそれぞれ延びる左右一対の上下向きフレーム部３６，３６と、左右一対の上下向きフレーム部３６，３６の上端部３６ａ，３６ａ同士を接続する左右向きフレーム部３７とを有し、全体が金属製のパイプ材によって一体に成形されている。前後向きフレーム部３４は座１の側部にあることから側部フレームと言うこともでき、左右向きフレーム部３７は背２の後部にあることから後部フレームと言うこともできる。すなわちこの実施形態では、前フレーム部３３、前後向きフレーム部３４，３４および中央フレーム部３５が座フレームを構成し、上下向きフレーム部３６，３６および左右向きフレーム部３７が背フレームを構成しており、前脚３１、３１、前後向きフレーム部３４，３４、上下向きフレーム部３６，３６および左右向きフレーム部３７が単一のパイプ材の塑性変形加工によって一連一体に構成され、これに同じ太さの後脚３２が溶接により一体化されている。勿論、具体的な構造はこれに限定されない。
【００２６】
図４に示す中央フレーム部３５は、その両端部３５ａ，３５ａから中央部３５ｂにかけて下方に緩やかに湾曲するもので、着座荷重を受けて背座が撓んだ際に前述のフレーム接触部１３の切欠き１３ａと嵌め合い可能とされるものである。
【００２７】
図３に戻って、前フレーム部３３は、前後向きフレーム部３４，３４および座１の前端１ａと交差する方向に前脚３１，３１から略水平に延びる傾斜部分３３ａ，３３ａと、座１の前端１ａと略平行に延びて傾斜部分３３ａ，３３ａ同士を接続し、左右一対の第１フレーム側連結部１２Ｂ，１２Ｂが前方に向けて溶接等によって取り付けられた平行部分３３ｂとを有する。第１フレーム側連結部１２Ｂは、略矩形の舌片状部材であり、略中央部に図４に示すフレーム被連結部１２ｂとのねじ止めに利用されるねじ挿通孔１２Ｂ１が形成される。このような第１フレーム側連結部１２Ｂおよび前記座側連結部１２Ａによって第１連結部１２が構成され、前フレーム部３３が座１をその前端部１ａ´で支持する。
【００２８】
図３に示す前後向きフレーム部３４，３４は、座１の側縁１ｄとほぼ等しい高さ位置で前脚３１から後脚３２に向けて延び、前述のように前端１ａから後端部１ｂ´にかけて幅寸法Ｗが小さくなる座１に対して幅方向に離間した位置で、座１から幅方向に少しはみ出して配置される。そのため、座１の側縁１ｄとの間には、後方に向けて幅の広がる平面視略三角形状の隙間Ｓ１が形成され、該隙間Ｓ１から指を入れて前後向きフレーム部３４，３４に手をかけ、前後向きフレーム部３４，３４を把持可能に構成される。また後脚３２，３２は、前後向きフレーム部３４，３４の内側に持ち出されており、図５に示すように椅子１０（１０´）と同一構造の他の椅子１０（１０´´）をスタッキングさせる際には、下側にある他の椅子１０（１０´´）の前後向きフレーム部３４（３４´´）と座１との隙間Ｓ１（図３等参照）に、上側の椅子１０（１０´）の後脚３２が挿入される。このとき、上側の椅子１０（１０´）の前後向きフレーム部３４（３４´）は、前述のように下方に湾曲する中央フレーム部３５の両端部３５ａ，３５ａ（図４参照）が下側の他の椅子１０（１０´´）の前後向きフレーム部３４（３４´´）と干渉して、他の椅子１０（１０´´）の前後向きフレーム部３４（３４´´）と上下方向に離間し、隙間Ｓ３を形成するように構成される。そのため、スタッキング状態であっても隙間Ｓ３を介して前後向きフレーム部３４´，３４´´間に指や手を入れて、上側の椅子１０（１０´）の前後向きフレーム部３４（３４´）を容易に把持可能な構成となっている。
【００２９】
また、これらの椅子１０（１０´），１０（１０´´）にさらに同一構造の他の椅子１０をスタッキングさせる場合、各椅子１０（１０´），１０（１０´´）の前後向きフレーム部３４と座１との隙間Ｓ１（図３等参照）に他の椅子１０の後脚３２が挿入される。このとき、一番下の椅子１０（１０´´）では、１つ上の椅子１０（１０´）の後脚３２の前方にさらに上の椅子１０の後脚３２が順次挿入されていく。図３に示す隙間Ｓ１は、座１の後端部１ｂ´から前端部１ａ´に亘って幅が小さくなる（より具体的には座１の後端部１ｂ´では後脚３２の径よりも幅が大きく、座１の前端部１ａ´では幅がほとんどなくなる）ように構成されるが、スタッキングさせる他の椅子１０の後脚３２を複数本（例えば５本程度）前方に順次挿入可能とするため、座１の後端部１ｂ´から前端部１ａ´に向けて、後脚３２の複数本分、後脚３２よりも大きい幅が確保されている。なお、この隙間Ｓ１は、座１の前端部１ａ´から後端部１ｂ´に亘ってほぼ等幅に形成されてもよい。
【００３０】
このような前後向きフレーム部３４，３４は座１の側縁１ｄ，１ｄ（図２参照）に沿って配置され、前後向きフレーム部３４，３４からそれぞれ延びる上下向きフレーム部３６，３６は背もたれ２の側縁２ｂ，２ｂに沿って配置される。
【００３１】
図４に示す左右向きフレーム部３７には、左右一対の第２フレーム側連結部１４Ｂ，１４Ｂが前方に向けて溶接等によって取り付けられている。この第２フレーム側連結部１４Ｂは、略矩形の舌片状部材であり、略中央部に前記背もたれ側連結部１４ａとのねじ止めに利用されるねじ孔１４Ｂ１が形成されている。第２フレーム側連結部１４Ｂは、筒状の背もたれ側連結部１４ａの内部に後方向から挿入された状態で、ねじ挿入孔１４ｂ１を介して下方から図示しないねじによってねじ止めされて背もたれ側連結部１４ａと連結される。このような第２フレーム側連結部１４Ｂおよび前記背もたれ側連結部１４ａによって第２連結部１４が構成され、左右向きフレーム部３７が、背もたれ２をその高さ方向略中央部で支持する。また、図２に示すように、左右向きフレーム３７は、背もたれ２の後面２ａから後方に離間して背もたれ２から後方に少しはみ出した位置に背もたれ２に沿って湾曲した状態で配置されて、座１との間に前後方向に隙間Ｓ２を形成し、この隙間Ｓ２より指を入れて左右向きフレーム３７に手をかけ、左右向きフレーム３７を把持可能に構成される。この隙間Ｓ２は、背もたれ２の側縁２ｂ，２ｂ（図１参照）間に亘ってほぼ等幅に形成されるが、左右向きフレーム３７の少なくとも一部に指を掛けたり、把持可能であれば、等幅に限定されない。なお、図２では背もたれ２の上端部を切断した状態の椅子１０を示している。
【００３２】
図６に示すように、座１および背もたれ２を構成するシェルＡは、支持フレーム３に対して着脱可能に構成されており、図４に示す第１連結部１２および第２連結部１４により支持フレーム３とシェルＡとを連結して、容易に組み立てることができる。また、第１連結部１２および第２連結部１４により支持フレーム３とシェルＡとを分解して、省スペースでの保管や搬送を可能とする。このような椅子１０は、幅広い用途に使用でき、カジュアルなスタッキングチェアとして利用できる。
【００３３】
以上のように、本実施形態の椅子１０は、座１および背もたれ２、ならびに座１の前部、具体的には前端部１ａ´を支持するとともに、背もたれ２の高さ方向中間部、具体的には略中央部を支持する支持フレーム３を備え、支持フレーム３が、座１に対して幅方向に離間した位置で前後方向に延びる前後向きフレーム部３４，３４、および、背もたれ２に対して後方向に離間した位置で幅方向に延びる左右向きフレーム部３７を有する構成としたものである。
【００３４】
このような構成であると、座１と前後向きフレーム部３４との間の隙間Ｓ１、または、背もたれ２と左右向きフレーム部３７との間の隙間Ｓ２より指を入れて、これらのフレーム部３４，３７に指を掛けたり、当該フレーム部３４，３７を掴むことができ、着座時に座１の前端部１ａ´および背２もたれの高さ方向略中央部を適切に支持する支持フレーム３を持ち手として利用することができる。そのため、手が椅子１０から滑りにくくなり、左右方向や後方への引き寄せや持ち運びなどの移動作業を簡単に行うことができる。
【００３５】
また、座の前端部１ａ´から垂下する前垂れ部１１に指を掛けることで、本発明の椅子１０の前方からの引き寄せを簡単に行えるとともに、前垂れ部１１及び左右向きフレーム部３７を掴んで椅子１０を側方から簡単に持ち上げることができる。またさらに、座および背もたれを備える椅子に通常必要な座受けとなる前後向きフレーム３４、ならびに背もたれ２を後方から支持する左右向きフレーム３７をそのまま持ち手として利用することで、支持フレーム３に持ち手とする部材を別途設ける必要がなく、製造コストの増加、並びに保管時や輸送時のスペース増加を抑制できる。
【００３６】
また、支持フレーム３が、座１の側縁１ｄおよび背もたれ２の側縁２ｂに沿って配置される構成としたことから、座１および背もたれ２と、支持フレーム３との一体感を生じさせて、シンプルかつスマートな外観にすることができる。また、座１とほぼ等しい高さ位置にある前後向きフレーム３４を、着座状態での姿勢変更時や起立時などに体の横で掴むことで、体を安定させることができる。さらに、本実施形態のように中央フレーム部３５などの補強パイプを支持フレーム３が備える場合、比較的簡単に左右の前後向きフレーム部３４，３４間に補強パイプを渡して支持体（剛体）を形成でき、支持フレーム３を作りやすくできる。
【００３７】
とりわけ、支持フレーム３が、座１の下面１ｃおよび背もたれ２の後面２ａにそれぞれ連結された構成としたことから、支持フレーム３で着座荷重を適切に支持することができる。
【００３８】
また、前後向きフレーム部３４（３４´）は、同一構造をなす他の椅子１０（１０´）を図５のようにスタッキングさせた際に、当該他の椅子１０（１０´´）の前後向きフレーム部３４，（３４´´）と上下方向に離間するように構成されたことから、スタッキングさせた場合でも、前後向きフレーム部３４´，３４´´同士の間から指を入れて前後向きフレーム部３４（３４´）を掴みやすく、上に重ねられた椅子１０（１０´）を簡単に持ち上げることができる。
【００３９】
さらに、座１の四隅近傍からそれぞれ下方に延びる複数の脚として前脚３１，３１および後脚３２，３２を有し、座１と前後向きフレーム部３４，３４との間の隙間Ｓ１に、図５のようにスタッキングさせる他の椅子１０（１０´´）の後脚３２を挿入可能に構成したことから、前後向きフレーム部３４を容易に把持するために必要な隙間Ｓ１を利用して、スタッキングの際、上から重ねる椅子１０（１０´）の後脚３２，３２を他の椅子１０（１０´´）に適切に収容することができる。
【００４０】
特に、背もたれ２及び座１が、背座一体のシェルＡによって構成され、支持フレーム３をシェルＡのシェル本体Ａ´から離して配置する構成としたことから、座１の前端部１ａ´および背もたれ２の高さ方向略中央部で支持フレーム３に支持されるシェル本体Ａ´の中央部分が着座荷重によって撓むように構成できる。そのため、シェルＡを樹脂製にするなどして椅子１０を安価な構成にしたとしても、クッション性を発揮させて、座り心地を向上させることができる。また、支持フレーム３に装着された状態であっても、シェル本体Ａ´に着脱式のカバーを簡単に適用できる。
【００４１】
以上、本発明の一実施形態について説明したが、各部の具体的な構成は、上述した実施形態のみに限定されるものではなく、本発明の趣旨を逸脱しない範囲で種々変形が可能である。
【００４２】
例えば、図７に示すように、支持フレーム３Ａが左右一対の肘置き部３８，３８を有するとともに、前脚３１Ａ，３１Ａおよび後脚３２，３２の下端部にそれぞれキャスター３９が取り付けられた構成であってもよい。肘置き部３８は、前脚３１Ａの上端部３１Ａ１から前後向きフレーム部３４の上方まで延びる上下部分３８ａと、上下部分３８ａの上端部３８ａ１から上下向きフレーム部３６，３６に向けて前後方向に略水平に延び、上下向きフレーム部３６，３６の高さ方向略中央部に接続される肘置き本体３８ｂ，３８ｂとを有する。肘置き本体３８ｂ，３８ｂは、図８に示すように、その長手方向中央部が前後向きフレーム３４から離れるように外側に湾曲し、肘置き本体３８ｂ，３８ｂと前後向きフレーム部３４，３４との間に座１の幅方向に三日月状の隙間Ｓ４を形成する。後脚３２Ａ，３２Ａは、前後向きフレーム部３４，３４よりも外側に持ち出され、図９のように同一構造の他の椅子１０Ａ（１０Ａ´´）をスタッキングさせる際には、前後向きフレーム部３４，３４と肘置き本体３８ｂとの間にある図８に示す隙間Ｓ４に、前後向きフレーム部３４，３４と座１との隙間Ｓ１に通すことが難しいキャスター３９ごと後脚３２，３２を挿入している。
【００４３】
また、これらの椅子１０Ａ（１０Ａ´），１０Ａ（１０Ａ´´）にさらに同一構造の他の椅子１０をスタッキングさせることも可能であり、この場合、各椅子１０Ａ（１０Ａ´），１０（１０Ａ´´）の前後向きフレーム部３４と肘置き部３８との隙間Ｓ４（図８参照）に他の椅子１０Ａの後脚３２Ａが挿入され、一番下の椅子１０Ａ（１０Ａ´´）では、１つ上の椅子１０Ａ（１０Ａ´）の後脚３２Ａの前方にさらに上の椅子１０Ａの後脚３２Ａが順次挿入されていく。図８に示す隙間Ｓ４は、キャスター３９が取り付けられた後脚３２Ａが挿入可能であれば、三日月状に限定されず、ほぼ等幅であったり、前方に向けて幅の小さくなる略三角形状であってもよい。
【００４４】
このように座１が略矩形状であり、当該座１の四隅近傍からそれぞれ下方に延びる複数の脚として前脚３１Ａ，３１Ａおよび後脚３２Ａ，３２Ａを有するとともに、前後向きフレーム部３４に対して座１の幅方向に離間した位置で前後方向に延びる肘置き部３８を有し、前後向きフレーム部３４と肘置き部３８との間の隙間Ｓ４に、スタッキングさせる他の椅子１０Ａ（１０Ａ´´）の後脚３２Ａを挿入可能に構成することで、後脚３２Ａに隙間Ｓ１を通らないキャスター３９が取り付けられた構成であっても、椅子１０Ａ（１０Ａ´）を他の椅子１０Ａ（１０Ａ´´）に適切にスタッキングさせることができる。
【００４５】
また、本実施形態では、背もたれ２及び座１は、本実施形態では背座一体のシェルＡによって構成されているが、背もたれ２および座１がそれぞれ別パーツとして構成されてもよい。この構成の場合、背もたれ２の下端部と座１の後端部との間の隙間に、スタッキングさせる際に他の椅子１０の後脚３２，３２を挿入可能な構成としてもよい。これは図７等に示す変形例の構成でも同様である。また、背もたれ２の下端部と座１の後端部１ｂ´との間に隙間を形成した構成の場合、上記実施形態のように前後方向フレーム３４の内側に持ち出した後脚３２，３２に図７等に示すキャスター３９を取り付けた構成としてもよい。
【００４６】
また、本実施形態において、支持フレーム３は、前後向きフレーム部３４，３４が座１に対して幅方向に離間するとともに、左右向きフレーム部３７が背もたれ２に対して後方向に離間しているが、前後向きフレーム部３４または左右向きフレーム部３７の一方が、座１または背もたれ２から離間する構成であってもよい。
【００４７】
また、本実施形態の椅子１０は、肘置き部３８を有しない構成であるが、図７等に示す変形例の椅子１０Ａに備わるような肘置き部３８を備える構成であってもよい。
【００４８】
さらに、図７等に示す変形例の構成において、キャスター３９および肘置き部３８の少なくとも一方が設けられない構成としてもよい。
【００４９】
またさらに、本実施形態では前後向きフレームが座１の側縁１ｄに沿い、上下向きフレーム部３６，３６が背もたれ２の側縁２ｂに沿って配置されて、これらが側面視Ｌ字状、平面視ロ字状をなしているが、例えば前後向きフレーム３４を上方や下方に湾曲した形状とし、座１や背もたれ２に沿って配置されないＬ字状以外の構成としたり、前フレーム部３３等のない平面視コ字状のものとしてもよい。
【００５０】
また、実施形態では支持フレーム３が中央フレーム部３５を備えるが、前フレーム部３３および左右向きフレーム部３７でシェルＡを支持して、中央フレーム部３５を備えない構成としてもよい。さらに、本実施形態では前フレーム部３３によって座１の前端部１ａ´を支持するが、前フレーム部３３が設けられず、前後向きフレーム３４の前端部で座１の前端部１ａ´を支持する構成であってもよい。或いは、中央フレーム部３５を省く構成も適宜採用することが可能である。
【００５１】
さらに、支持フレーム３は座１の前部であれば必ずしも前端部１ａ´を支持する必要はないし、背２の高さ方向中間部であれば必ずしも中央部を支持する必要はない。
【００５２】
その他、前後向きフレーム部３４は平面視において前後向きであれば種々の形態をとることができ、左右向きフレームは平面視において左右向きであれば種々の形態をとることができるなど、具体的な構成は、本発明の趣旨を逸脱しない範囲で種々変形が可能である。
【符号の説明】
【００５３】
１・・・座
１ａ´・・・座の前端部
１ｃ・・・座の下面
１ｄ・・・座の側縁
２・・・背もたれ
２ａ・・・背もたれの後面
２ｂ・・・背もたれの側縁
３，３Ａ・・・支持フレーム
１０，１０Ａ・・・椅子
３１，３１Ａ・・・前脚（脚）
３２，３２Ａ・・・後脚（脚）
３４・・・前後向きフレーム部
３７・・・左右向きフレーム部
３８・・・肘置き部
Ａ・・・シェル
Ａ´・・・シェル本体
Ｓ１・・・隙間
Ｓ４・・・隙間
【図１】
0006486173.tif 000002
【図２】
0006486173.tif 000003
【図３】
0006486173.tif 000004
【図４】
0006486173.tif 000005
【図５】
0006486173.tif 000006
【図６】
0006486173.tif 000007
【図７】
0006486173.tif 000008
【図８】
0006486173.tif 000009
【図９】
0006486173.tif 000010